(57)【特許請求の範囲】
【請求項１】
パネルの開口にケーブルを通して保持するためのケーブルクランプにおいて、該ケーブルクランプは、前記ケーブルを外部から貫通穴に至るように通すスリットを設けたケーブルパッキン体と、該ケーブルパッキン体を両側から挟着する一対のスライドケースと、該一対のスライドケースの一方の内側に凹部を設けるとともに、他方のスライドケースの内側には前記凹部に対応する位置に凸部を設け、かつ前記一対のスライドケースのそれぞれには内方を高くして対向する傾斜面を設け、その傾斜面と対応する傾斜面を設けたテーパーワッシャーを設けることにより、前記テーパーワッシャーと貫通し、前記スライドケースと余裕を持って遊嵌する取付ネジを前記パネルに捩じ込み、前記凸部を前記凹部内に進行させるとともに、前記一対のスライドケースにより前記ケーブルが貫通しているケーブルパッキン体を圧縮して、前記ケーブルの周囲とケーブルパッキン体の周囲を防水可能にしたことを特徴とするケーブルクランプ。
【請求項２】
前記ケーブルパッキン体を弾性体にした請求項１に記載のケーブルクランプ。
【請求項３】
前記スライドケースの下部に取り付けたスライドパッキンの底部をコーティング材で形成するか、潤滑油で塗布するかのいずれかである請求項１又は２に記載のケーブルクランプ。
【請求項４】
前記ケーブルが貫通している前記ケーブルパッキン体の厚さ方向の中央部の貫通穴内側に、前記ケーブルの周囲を圧接する丸形突起を設けた請求項１乃至３のいずれかに記載のケーブルクランプ。
【請求項５】
前記スライドケースから立ち上がるスライドケース壁を設け、その内壁に前記テーパーワッシャーが脱落しないようにしたスライドケース爪を設けた請求項１乃至４のいずれかに記載のケーブルクランプ。
【請求項６】
前記テーパーワッシャー下部の前記スライドケースの貫通孔内に、前記取付ネジを仮固定をする筒状体を設けた請求項５に記載のケーブルクランプ。
【発明の詳細な説明】
【技術分野】
【０００１】
本発明はケーブルを保持するケーブルクランプ、詳細には各種電機機器を内蔵したパネルの開口に、その電機機器からの出力を外部に供給するケーブルを保持するケーブルクランプに関する。
【背景技術】
【０００２】
従来例として、下記の特許発明のように、上下（両側）に隣接するブロック１１〜１４（以下図番は従来例の実施例のもの）を、長ねじ１６（固定手段）により固定するものとし、その相対するブロックに隣接して長手方向に設けた切り欠き部１１ａ〜１４ａのある中空部１１ｂ〜１４ｂ内に、ケーブル１を保持する略半円形の凹部１７ａ〜１９ａを有する横長または個々に独立した小ブロック体の弾性パッキン１７〜１９を、着脱自在に装着したものである。
【０００３】
従来例ではケーブルクランプしてパネルに取り付ける作業性に課題がある。
まず、ケーブルを弾性パッキン１７〜１９で挟み、さらに各ブロック１１〜１４で弾性パッキン１７〜１９を挟んで長ネジ１６で締付ける。その状態にしてからやっとパネルに対して別のネジ１１ｄ〜１４ｄで締付ける作業となる。
つまり、ケーブルをクランプしてパネルに固定しようとする際には、２種類（２方向）のネジの締付けが必要となり、作業の手間がかかるという課題があった。
【先行技術文献】
【特許文献】
【０００４】
【特許文献１】特許第３４３１３５５号（特願平７−１７９５２９）
【発明の概要】
【発明が解決しようとする課題】
【０００５】
本発明は、上記課題を解決せんとしたものであり、本発明は１方向によるネジの締付けだけで、ケーブルのクランプとパネルへの固定が同時に行える構造となっており、取付けの作業性が良くなるようにしたことを発明の目的とする。
【課題を解決するための手段】
【０００６】
本発明は、前記問題点を解決したものであり、その要旨は、パネルの開口にケーブルを通して保持するためのケーブルクランプにおいて、該ケーブルクランプは、前記ケーブルを外部から中部の貫通穴に至るように通すスリットを設けたケーブルパッキン体と、該ケーブルパッキン体を両側から挟着する一対のスライドケースと、該一対のスライドケースの一方の内側に凹部を設けるとともに、他方のスライドケースの内側には前記凹部に対応する位置に凸部を設け、かつ前記一対のスライドケースのそれぞれには内方を高くして対向する傾斜面を設け、その傾斜面と対応する傾斜面を設けたテーパーワッシャーを設けることにより、前記テーパーワッシャーと貫通し、前記スライドケースと余裕を持って遊嵌する取付ネジを前記パネルに捩じ込み、前記凸部を前記凹部内に進行させるとともに、前記一対のスライドケースにより前記ケーブルが貫通しているケーブルパッキン体を圧縮して、前記ケーブルの周囲とケーブルパッキン体の周囲を防水可能にしたことを特徴とするケーブルクランプにある。
この構造により、一対のスライドケースとケーブルパッキン体の間、及びケーブルパッキン体とケーブルとの間を水密にして、これらの間からの漏水を防止するようにしている。
【０００７】
ここで、ケーブルパッキン体としては、ゴム製の弾性体を用いることが好ましい。
【０００８】
スライドケースとパネルとの間には、スライドケースのそれ自体の材料か、少なくとも底部に摩擦抵抗を小さくするコーティング材を形成するか、潤滑油を塗布するか、のいずれかを選択することにより、パネル上を一対のスライドケースがケーブルパッキン体を潰す方向に滑り易くしている。
【０００９】
ケーブルを貫通したケーブルパッキン体の厚さ方向の中央部の貫通穴内側に、そのケーブルの周囲を圧接する幅の狭い丸形突起を形成することで、より十分に水密性を保持している。
【００１０】
テーパーワッシャーの両側にスライドケース壁を設け、その内壁にスライドケース爪２７を設けることにより、テーパーワッシャー１３がスライドケースから脱落しない構造になっている。
【００１１】
テーパーワッシャーが位置する下方のスライドケースの貫通孔内には、挿通状態で遊びをもっている取付ネジを仮固定する先端内方に突起２５を設けた筒状体２６を一体に成形している。このことは、特に本発明のケーブルクランプをパネルの側面や底面に位置する場合に有効である。
【発明の効果】
【００１２】
本発明のケーブルクランプは、電気機器を内蔵してケーブルを貫通するパネルへの取付構造であり、前記パネルの開口において、スリットを開いてケーブルを貫通したケーブルパッキン体を、上下一対のスライドケースにより取り付けるようにしたものである。
【００１３】
具体的には、上下のスライドケースの両側に、前記上下に対向した側を高くした傾斜面をそれぞれ設け、各傾斜面とは面一の傾斜面を設けたテーパーワッシャーを重ね、この重ね合わせたテーパーワッシャーとスライドケースに雄ネジを有する取付ネジが、テーパーワッシャーに対して密着状態に貫通し、スライドケースに対しては遊嵌状態にして貫通し、スライドケースの下方にあるパネルに設けた雌ネジを、図５に示す、矢印Ａ方向への捩じ込むことで、上下のテーパーワッシャーとパネルとは不動であるが、上下間のスライドケースは矢印Ｂ方向（上下のスライドケースが近づく方向）に移動する。この移動により、前記上下一対のスライドケースの両端の各内側に向って相対して設けた、凸部を凹部内に進行することで上下のスライドケースを上下以外に動かぬように位置決めしている。これと同時進行して、上下スライドケースの内側に介在させた前記ケーブルを貫通したケーブルパッキン体を、上下スライドケース間において圧着する。
【図面の簡単な説明】
【００１４】
【図１】本発明のケーブルクランプの分解平面図である。
【図２】図１のＡ−Ａ断面図である。
【図３】図１のスライドケースにより、ケーブルをケーブルパッキン体で圧着した平面図である。
【図４】図３の正面図である。
【図５】図３のＢ−Ｂ断面図である。
【図６】図３のＣ−Ｃ断面図である。
【図７】ケーブルパッキン体のスリットを開いてケーブルを押し込む説明図である。
【図８】図１のＤ−Ｄ断面図である。
【図９】上記とは別の実施例としての分解平面図である。
【図１０】図９の組み立て状態の平面図である。
【図１１】図１０のＥ―Ｅ断面図である。
【発明を実施するための形態】
【００１５】
本発明は、上下スライドケースのそれぞれの両側に設けた、テーパーワッシャーとスライドケースとの傾斜面を利用し、これらに貫通した取付ネジをパネルの雌ネジに螺入することにより、不動のテーパーワッシャーとパネル間にある上下スライドケースを互いに近づけることで、スライドケースとケーブルパッキン体間と、ケーブルパッキン体とケーブル間とを圧着するようにした。
【実施例】
【００１６】
図１は、本発明のケーブルクランプを分解した平面図、図２は図１のＡ−Ａ断面図、図３は図１のケーブルクランプを用いて、ケーブルを圧着した状態の平面図、図４は図３の正面図、図５は図３のＢ−Ｂ断面図、図４は図３の正面図、図５は図３のＢ−Ｂ断面図、図６は図３のＣ−Ｃ断面図、図７は図１のケーブルパッキン体４にあるスリット２１’を開いてケーブルを押し込む説明図、図８は図１のＤ−Ｄ断面図に取付ネジ１４を加えたもの、図９は図１とは別の実施例の分解平面図、図１０は図９のケーブルクランプを用いて組み立てた状態の平面図、図１１は図１０のＥ−Ｅ断面図である。
【００１７】
本発明のケーブルクランプは、図１乃至図８に示すように、パネル１の開口２の上下に位置するスライドケース３，３'と、その全体として細長いコの字状にしたスライドケース３，３'間に介在する複数個のケーブルパッキン体４，４'、４"、４"'と、これらを保持する取付ネジ５，５'とからなる。
【００１８】
なお、図５と図６にある、パネル１上面とスライドケース３、３'の間には、スライドパッキン６がスライドケース３，３'の底部に固着されている。
【００１９】
図１において、スライドケース３，３'は同一の形態で相対するものであり、各スライドケースの底部には、図３のケーブルクランプの組み立て状態では、上下のスライドケースが互いに当接するために立設している面から各スライドケースの底部外周面に亘ってスライドパッキン６，６'が敷設され、パネル１上をスライドケースがスライドパッキンと共に上下方向に移動可能にしている。また、各スライドケース３，３'の両端の側壁１２，１２’内には、上下に対向する側を高くした、スライドケース６，６'の下の傾斜面７，７'をそれぞれの頂部８，８'と底部９，９'間に設けている（図５）。さらに各スライドケース３，３'の内側の一方に凸部１０，１０'を、他方には凹部１１，１１'を設け、各スライドケース３，３'が当接するまで凸部１０，１０'が凹部１１，１１'内に進行することで各ケースの左右方向（上下方向以外）に位置決めがなされている。
【００２０】
前記スライドケース３，３'下の傾斜面７，７'の中央には、後述する取付ネジとしての頭付ボルト５，５'を遊嵌状態で挿通する下の孔１５，１５'を設ける。また、前記下の傾斜面７，７'と合致するテーパーワッシャー１３，１３'の上の傾斜面１６，１６'を有するテーパーワッシャー１３，１３'を載置し、そのテーパーワッシャーには、前記頭付ボルト５，５'を密着状態で挿通する上の孔１７，１７'を設けている。
前記上の孔１７，１７'は、ボルト５，５'を挿通するのに必要な径であるが、その下にあるスライドケース３，３'の下の孔１５，１５'は、ボルト５，５'を遊嵌状態で挿通して、ボルト５，５'の下部雄ネジ１８，１８'をパネルの雌ネジ１９，１９'に捩じ込むようにしている。
なお、略コの字状のスライドケース３，３'の両端部は、前記した下の傾斜面７，７'を貫通してボルト５，５'を取り付ける箇所である。また、各スライドケース３，３'の間には、横に４個並んで角形座布団型のケーブルパッキン体４，４',４"，４"'の上下部をスライドケース３，３'の中空部３０，３０'に嵌め込み、中空部３０，３０'の入口は両側が大きくて中央側が小さい３つの弧状の切欠部１４，１４'を前後に設けている。
【００２１】
つぎに、ゴム製等の弾性体からなる前記ケーブルパッキン体４〜４"'は、同一及び異なる径のケーブル２９，２９'，２９"の貫通穴２２，２２'，２２"を、ケーブルパッキン体の中部に備え、この中部の一側方には外部から貫通孔２２，２２'，２２"に通じるスリット２０，２１'，２１"を設け、これらのスリットからケーブルパッキン体を開いて、前記貫通穴２２，２２'，２２"に応じたケーブル２９，２９'，２９"を嵌入するようにしている（図７）。なお、このケーブルパッキン体４〜４"に設けた貫通穴２２〜２２"内の中央部に丸形突起２４、すなわち図２や図６に示すように、ケーブルパッキン体より径を小さくした丸形突起２４を設けてケーブル２９，２９'，２９”との圧着により水密性を高めている。
【００２２】
図８は、図１のボルト５を抜いたＤ−Ｄ断面で、スライドケース３、３'の両端が対称となって現れる。同箇所のスライドケースの下の孔１５，１５'は、ボルト５，５'に対して遊嵌状態にあるが、その孔１５，１５'には弾性の下端に爪２５を有する筒状体２６をスライドケースと一体に設けることで、嵌入したボルトの落下を防止している。また、筒状体２６の上部に前記テーパーワッシャー１３，１３'を載置しており、そのワッシャーは、前記したスライドケース３，３'のボルト貫通用の孔１７，１７'に設けた爪２７と、その爪２７にテーパーワッシャー１３，１３'の下部外周を太径にして、その上端が引っ掛かることにより、特に、ケーブルクランプ１をパネルの側部又は底部開口に取り付けた場合において、テーパーワッシャー１３，１３'の脱落を防止する。
【００２３】
つぎに、上記構成からなるスライドケース３，３'とケーブル１９〜１９"を貫通したケーブルパッキン体４〜４"を、パネル１の開口２の周囲へ取り付ける取付方法について説明する。
まず、図１と図２の分解したスライドケース３，３'を、パネルの開口の周囲にボルト５，５'で取り付けるが、この取付位置は、ボルトのネジをテーパーワッシャー１３，１３'の孔１７，１７'とスライドケースの孔１５，１５'を貫通して、パネル１の雌ネジ１９，１９'に螺進する。
このようにボルトを螺進して行くと、ボルト頭に近いテーパーワッシャー１３，１３'と螺着しているパネル１とが位置決めされて固定されているために、スライドケース３，３'とテーパーワッシャー１３，１３'の上の傾斜面１６，１６'がスライドケース３，３'の下の傾斜面７，７'と合致している箇所は圧接状態になり、テーパーワッシャー１３，１３'とパネル１の中間位置にある遊嵌状態の上下２つのスライドケース３，３'が互いに近寄って最終的に図５、図６のように、前記凸部１０，１０'が凹部１１，１１'内に進行して各スライドケース３，３'の先端面となる前記スライドパッキン６、６'の立ち上がり部が互いに圧接すると同時に、前記中空部３０，３０'内に挟持されたケーブルパッキン体４〜４"の上下面を圧接することで、ケーブル１の周囲（特にケーブルパッキン体４〜４"の丸形突起により）は水密になる。この際に、スライドケースの底部の周囲に設けたスライドパッキン６，６'によって、パネル１間も気密に保持される。
【００２４】
図９乃至図１１は、前記本発明を二段レーンにしたものであり、前記した実施例と構造上の違いは固定ケース３"として開口２の中央を横切ったパネル１に取付ネジ１０５で固定したものであり、その固定ケース３"の上下両側に前記した上下にあるスライドケース３，３'をそれぞれの傾斜面７，７'とテーパーワッシャーの傾斜面１６，１６'とにより、各取付ネジ５，５'，１０５をパネル１に螺入することで固定する。図１０と図１１に示す状態は、各種径のケーブル１９〜１９" ，１１９，１１９'，１１９"，１１９"'をスリット２１〜２１"，１２１〜１２１"'から嵌め込んだケーブルパッキン体４〜４"'，１０４〜１０４"'を上下に対応する図形の中空部に圧接するようにしたものである。
なお、上記の実施例は上下二段のものであるが、三段以上でも、同じ構成のケーブルクランプを仕上げることが可能である。
【産業上の利用可能性】
【００２５】
パネルの開口に固定するケーブルクランプを、上下のスライドケースに取り付けた取付ネジをパネルに螺入することにより、ケーブルパッキン体の中央に位置するケーブルを気密に保持したものである。
【符号の説明】
【００２６】
１・・・パネル
２・・・パネルの開口
３，３'・・・スライドケース
４，４'，４"，４"'，１０４，１０４'，１０４"，１０４"'・・・ケーブルパッキン体
５，５'・・・取付ネジ
６，６'・・・スライドパッキン
７，７'，１６，１６'・・・傾斜面
１０・・・凸部
１１・・・凹部
２２，２２'，２２"・・・貫通穴
２４・・・丸形突起
２５・・・２６の先端にある爪
２６・・・スライドケースの筒状体
２７・・・スライドケース爪
【図１】
0005722701.tif 000002
【図２】
0005722701.tif 000003
【図３】
0005722701.tif 000004
【図４】
0005722701.tif 000005
【図５】
0005722701.tif 000006
【図６】
0005722701.tif 000007
【図７】
0005722701.tif 000008
【図８】
0005722701.tif 000009
【図９】
0005722701.tif 000010
【図１０】
0005722701.tif 000011
【図１１】
0005722701.tif 000012